(57)【要約】【課題】屈曲部を形成し、しごき部材を備えたシートロール包装体により、使用時に巻癖が解消されたシートを使用できるシートロール包装体を提供する。【解決手段】底面板の四方に前面板、左右の側面板及び背面板が立ち上げられた本体と、開閉可能な蓋体とを有する箱体の本体内に、シートを巻き丸めたシートロールが収納されたシートロール包装体において、シートロールから箱体の外へ引き出される途中のシートを掛けて屈曲させることでシートの引き出し経路に屈曲部を形成すると共に、引き出し経路の屈曲部においてシートが押しあてられるしごき突起を有するしごき部材を備えていることを特徴とするシートロール包装体とする。【選択図】図１
2014091566.tif 000002
【特許請求の範囲】
【請求項１】
底面板の四方に前面板、左右の側面板及び背面板が立ち上げられた本体と、開閉可能な蓋体とを有する箱体の前記本体内に、シートを巻き丸めたシートロールが収納されたシートロール包装体において、
前記シートロールから前記箱体の外へ引き出される途中の前記シートを掛けて屈曲させることで前記シートの引き出し経路に屈曲部を形成すると共に、該引き出し経路の屈曲部において前記シートが押しあてられるしごき突起を有するしごき部材を備えていることを特徴とするシートロール包装体。
【請求項２】
前記しごき部材が、前記シートロールの上方に、少なくとも前記背面板の内面との間に前記シートが通過可能な隙間をあけて設けられており、前記シートロールが、前記シートが前記シートロールの前記前面板側から引き出される向きで前記本体内に収納されていると共に、前記シートの引き出し経路が、前記しごき部材と前記背面板との間の隙間から前記しごき部材の上面上を通って、前記前面板側から前記箱体の外へ引き出される経路であることを特徴とする請求項１記載のシートロール包装体。
【請求項３】
前記しごき部材が、先端縁を前記背面板側に向け、後端縁を介して前記前面板に上下に傾動可能に連なった板状をなすことを特徴とする請求項２に記載のシートロール包装体。
【請求項４】
前記しごき部材が、前記シートロールと前記本体との間の隙間に差し込まれた脚部によって、先端縁を前記背面板側に向け、後端縁を前記前面板側に向けて支持された板状をなすことを特徴とする請求項２に記載のシートロール包装体。
【請求項５】
前記しごき部材の先端縁の少なくとも一部が山形に形成されており、該山形の縁部が前記しごき突起を構成していることを特徴とする請求項３又は４に記載のシートロール包装体。
【請求項６】
前記山形の縁部が２又は３箇所形成されていることを特徴とする請求項５に記載のシートロール包装体。
【請求項７】
前記山形の縁部の頂角が１１０〜１５０度であることを特徴とする請求項５又は６に記載のシートロール包装体。
【請求項８】
前記しごき部材の後端縁から前記しごき突起の先端までの間隔をＸ、前記前面板と前記背面板の内面間の間隔をＹとした時に、Ｘ／Ｙ≧０．３であることを特徴とする請求項３乃至７いずれか一項に記載のシートロール包装体。
【請求項９】
前記しごき部材の両端部が、先端縁が前記背面板と平行で、しかも前記背面板との間に、前記しごき突起の先端と前記背面板との間隔と同等の間隔を形成する補助片となっていることを特徴とする請求項３乃至８のいずれか一項に記載のシートロール包装体。
【発明の詳細な説明】
【技術分野】
【０００１】
本発明は、箱体の本体内にシートが巻き丸められたシートロールが収納され、シートを引き出して使用するシートロール包装体に関する。
【背景技術】
【０００２】
従来、特許文献１のように巻き丸められたシートを箱体に収納するシートロール包装体が数多く知られている。このようなシートロール包装体は、箱体に収納されたシートを引き出して、箱体に設置されている切断刃により所望の長さに切断して使用する。
【０００３】
シートの種類としては、ラップフィルム、クッキングシート、クッキングホイル、オーブンホイル、アルミホイル等、が挙げられ、様々な種類のシートが上述した構造のシートロール包装体に収納されている。
【先行技術文献】
【特許文献】
【０００４】
【特許文献１】特開２００８−２４７４８４号公報
【発明の概要】
【発明が解決しようとする課題】
【０００５】
ところで、クッキングシートは、粘着性をもたず、シート自体が巻き丸められてシートロールとして箱体に収納されている。使用時には、シートを箱体から引き出して箱体が備えるカッターにより切断して使用する。クッキングシートはラップフィルムとは違い、薄い紙の表面にシリコーン樹脂やフッ素系樹脂等の樹脂がコーティングされて巻き丸められて箱体に収納されている。ラップフィルムは薄い膜状のラップフィルムが紙管に捲回されているので、引き出して使用する際には広げて簡単に使用できる。しかし、クッキングシートは上述したように紙で形成されているため、箱体に収納されている際にシート自体に巻癖がついてしまい、使用時にシート自体が丸まってしまう問題があった。シートが使用時に丸まってしまうと、食材等を置くことが難しく、切断したシートの巻癖を直してから食材を置くという手間がかかっていた。
【０００６】
そこで、本発明は、シートロールから箱体の外へ引き出される途中のシートを屈曲させる屈曲部に、引き出されるシートをしごく、しごき突起を有するしごき部材を備えたシートロール包装体を提供することを目的としている。
【課題を解決するための手段】
【０００７】
上記課題を解決するために、本発明は、底面板の四方に前面板、左右の側面板及び背面板が立ち上げられた本体と、開閉可能な蓋体とを有する箱体の前記本体内に、シートを巻き丸めたシートロールが収納されたシートロール包装体において、前記シートロールから前記箱体の外へ引き出される途中の前記シートを掛けて屈曲させることで前記シートの引き出し経路に屈曲部を形成すると共に、該引き出し経路の屈曲部において前記シートが押しあてられるしごき突起を有するしごき部材を備えていることを特徴とするシートロール包装体を提供するものである。
【０００８】
前記しごき部材が、前記シートロールの上方に、少なくとも前記背面板の内面との間に前記シートが通過可能な隙間をあけて設けられており、前記シートロールが、前記シートが前記シートロールの前記前面板側から引き出される向きで前記本体内に収納されていると共に、前記シートの引き出し経路が、前記しごき部材と前記背面板との間の隙間から前記しごき部材の上面上を通って、前記前面板側から前記箱体の外へ引き出される経路であること、
前記しごき部材が、先端縁を前記背面板側に向け、後端縁を介して前記前面板に上下に傾動可能に連なった板状をなすこと、
前記しごき部材が、前記シートロールと前記本体との間の隙間に差し込まれた脚部によって、先端縁を前記背面板側に向け、後端縁を前記前面板側に向けて支持された板状をなすこと、
前記しごき部材の先端縁の少なくとも一部が山形に形成されており、該山形の縁部が前記しごき突起を構成していること、
前記山形の縁部が２又は３箇所形成されていること、
前記山形の縁部の頂角が１１０〜１５０度であること、
前記しごき部材の後端縁から前記しごき突起の先端までの間隔をＸ、前記前面板と前記背面板の内面間の間隔をＹとした時に、Ｘ／Ｙ≧０．３であること、
前記しごき部材の両端部が、先端縁が前記背面板と平行で、しかも前記背面板との間に、前記しごき突起の先端と前記背面板との間隔と同等の間隔を形成する補助片となっていること、
をその好ましい態様として含むものである。
【発明の効果】
【０００９】
本発明のシートロール包装体においては、シートの引き出し経路に屈曲部を形成すると共に屈曲部においてしごき突起を有するしごき部材により、シートを引き出す際にシートをしごくことにより巻癖を解消させつつ引き出すことができる。
【００１０】
なお、その他の本発明の効果については、本発明の実施の形態の説明と共に説明する。
【図面の簡単な説明】
【００１１】
【図１】本発明のシートロール包装体の実施形態を示す斜視図である。
【図２】本発明のシートロール包装体の箱体の蓋体を外した平面図である。
【図３】シートを逆引き出し方向に収納した際の図３のＡ−Ａ断面図である。
【図４】着脱可能なしごき部材を有する本発明のシートロール包装体の構成図である。
【図５】しごき部材を３箇所に有する本発明のシートロール包装体の構成図である。
【図６】本発明のシートロール包装体の補助片を備えたしごき部材を示す箱体の蓋体を外した平面図である。
【発明を実施するための形態】
【００１２】
以下、図面を用いて本発明の実施形態を説明するが、本発明は下記実施形態に限定されない。また、以下に参照する図面において、同じ符号は同様の構成要素を示す。
【００１３】
本発明に係るシートロール包装体を図１〜図６を用いて詳細に説明する。
【００１４】
本発明のシートロール包装体１０は、シート１が多重に巻き丸められているシートロール２と、箱体２０と、しごき部材３０とを備えている。
【００１５】
シート１は、巻き丸められて、シートロール２として箱体２０に収納されている。シート１とは、薄い平坦な材料で、具体的にはクッキングシート、アルミホイル、クッキングホイル、オーブンシート等が挙げられる。本発明はこれらのいずれの包装体に対しても適用することができ、巻癖がついてしまうシートであればどのようなシートでも適用できる。なお、この実施形態ではクッキングシートにより説明する。クッキングシートは、薄い紙にシリコーン樹脂やフッ素系樹脂等が表面にコーティングされており、薄い紙に油性、撥水性、耐熱性等が付与されている。この実施形態では、図３に示すようにシート１自体が巻き丸められてシートロール２として箱体２０に収納されているが、例えば紙管にシートが捲回されたものでも良い。
【００１６】
本発明のシートロール包装体１０は、シート１の巻癖がついている面とは逆面の表面をしごくことができればどのように収納されていても良いが、図３に示すように、シート１がシートロール２の前面板２２ａ側から引き出される向き（以下、逆引き出し方向という）で収納することが望ましい。このように収納することで、図３に示すように巻癖がついている逆面の表面にしごき突起３２が当接し、シート１を切断しても丸まることを防止することができる。また、背面板２２ｄ側から引き出される向き（以下、順引き出し方向という）でシート１を収納することも可能である。その際には、背面板２２ｄ側からしごき突起３２が当接するようなしごき部材を配置することも考えられる。
【００１７】
図１に示すように、箱体２０は、横長の直方体で、シートロール２を収容する本体２２と、本体２２上に開閉可能に被さる蓋体２６を備えている。本体２２は、前面板２２ａ、側面板２２ｂ、２２ｃ、背面板２２ｄ、及び底面板２２ｅを備えている。前面板２２ａ、側面板２２ｂ、２２ｃ、および背面板２２ｄは、底面板２２ｅの周囲から立ちあげられて本体２２の周壁を構成している。蓋体２６は、蓋体２６を閉じた時に本体２２の前面板２２ａの上部外面側に被さる前縁板２６ａと、本体２２の側面板２２ｂ、２２ｃの上部外面側に被さる側縁板２６ｂ、２６ｃと、本体２２の開口部上に被さる天面板２６ｄとを備えている。天面板２６ｄの後縁は本体２２の背面板２２ｂの上縁に連なっており、前縁板２６ａと側縁板２６ｂ、２６ｃは天面板２６ｄの前縁と側縁にそれぞれ連接されている。また、箱体２０は、シートロール２から引き出したシート１を切断するための切断刃２８を備えている。本例における切断刃２８は蓋体２６の前縁板２６ａに下向きに取り付けられているが、本体２２の前面板２２ａに上向きに取り付けたり、その他の位置に取り付けたりすることもできる。
【００１８】
しごき部材３０は、図１〜図３に示す形態では、シート１の引き出し経路に屈曲部が設けられており、この屈曲部にしごき部材３０が配置されている。しごき部材３０はしごき突起３２が設けられており、シート１を引き出す際に、しごき部材３０のしごき突起３２によりシート１が扱かれて引き出すことができる。しごき突起３２は、押し当てられたシート１をしごくことができる形状であればどのような形状でもよいが、先鋭化していると、シート１を引き出す際に、しごくと同時にシート１自体を傷つけるだけでなく、破損させてしまう虞があるため、シートを傷つけない形状が望ましい。
【００１９】
また、シートロール２の上方に、箱体２０の背面板２２ｄの内面との間にシート１が通過可能な隙間を開けて設けられており、さらに、しごき突起３２が背面板２２ｄ側を向くように配置されている。また、図３で示すように、しごき部材３０は前面板２２ａに連接しているが、接着して連なった板状とする構成も考えられる。さらに、上下に傾動可能に連なって形成することにより、シートロール２を簡単に収納若しくは取り出すことができる。
【００２０】
また、図４に示すように、しごき部材３０に脚部３４を設けて、着脱可能とすることもできる。この構成は、従来からあるシートロール包装体、特にクッキングシートやクッキングホイル、オーブンシート等を収納するシートロール包装体に設置することにより、収納されているシートを引き出す際に扱くことができ、巻癖を解消することができる。図１に示すしごき部材３０は、箱体に連接しているため紙素材で形成されることが望ましいが、図４に示す着脱可能なしごき部材３０であれば、樹脂素材により成形したものを用いることができる。
【００２１】
図１〜図４のしごき部材３０の縁部は山形に形成されてしごき突起３２の構成となっているが、形状に特に限定はない。また、この山形の縁部を設置する数に限定はないが、山形である場合はシート１の引き出しの安定性および巻癖の解消具合から、２箇所若しくは図５に示すように３箇所に設けることが望ましい。また、縁部の頂角の角度にも限定はない。しかし、数多く販売されている幅が３０ｃｍのクッキングシート等の場合、上述したように、巻癖を解消しつつシート１を安定して引き出すには１１０度〜１５０度であることが望ましい。頂部の角度が１１０度以下だと、しごき突起３２がシート１に引っ掛かり引き出し性が安定しないことがあり、また１５０度以上だと、しごき突起３２でシート１をしごいてもしごき突起３２によるしごきの効果が薄くなるため、巻癖が解消しない場合があるためである。
【００２２】
また、しごき部材３０の後端縁３６からしごき突起３２の先端までの間隔をＸとし、前面板２２ａと背面板２２ｄの内面間の間隔をＹとしたときに、Ｘ／Ｙ≧０．３を満たす間隔Ｘとなるようにしごき部材３０を形成することにより、シート１を引き出す際に確実にしごき突起３２によってシート１が扱かれるため、シート１の巻癖を確実に解消することができる。
【００２３】
さらに、図６で示すように、しごき部材３０の両端部を、先端縁が背面板２２ｄと略平行となるように形成し、しごき突起３２の先端と背面板２２ｄとの間隔と同等の間隔となる補助片３８を設けることもできる。補助片３８を設けることにより、シート１を引き出す際に、しごき突起３２によりシート１の巻癖を解消しつつ、シート１の両端が補助片３８により支えられて安定した力でシート１を引き出すことが可能となる。この補助片３２は、シート１の両端を支えられる形状であれば、特に限定はない。
【００２４】
本発明のシートロール包装体１０は、シートの引き出し経路に屈曲部を形成すると共に、しごき部材３０を配置することにより、シートロールの状態で巻き丸められていたシートの巻癖を解消するものである。従って、シートの引き出し経路上に、シートをしごくことができるしごき部材を配置すればシートの巻癖を解消することができる。
【００２５】
本発明のシートロール包装体１０の使用の態様を図１〜図４により詳細に説明する。図１で示すように、シート１は巻き丸められてシートロール２として箱体２０に収納されている。箱体２０の前面板２２ａには、連接したしごき部材３０が設けられており、しごき部材３０にはしごき突起３２が２箇所設けられている。しごき突起３２は、シート１が箱体２０内部から引き出せるように、前面板２２ａと背面板２２ｄ間の間隔Ｙよりも短い間隔Ｘとなるように設けられている。シートロール２は、図３で示すように逆引き出し方向で収納される。シート１を引き出すと、しごき突起３２によりシート１の巻癖のある面とは逆面に当接しシート１をしごくことができる。また、シート１は紙の表面に加工が施してあるため、滑りやすくなっており、図で示すように、蓋体２６を閉じた状態で引き出すことにより前面板２２ａの先端と蓋体２６により、シート１の巻癖のある面とは逆面全体を扱くこともできる。引き出したシート１は、好みの長さに応じて箱体２０に設けられた切断刃２８により切断して使用する。シート１に巻癖が解消されているため、シート１を切断しても丸まることなく食材を簡単に置くことができる。
【００２６】
また、従来は、シート１を引き出して切断刃２８により所望の長さに切断する際に、シート１の表面に加工が施されているため、切断刃２８と前面板２２aの間で滑り、真っ直ぐ所望の長さに切断することが出来ず、切断しづらい状況であった。
【００２７】
しかし、本発明のしごき部材３０を配置することで、シート１の引き出しの際にしごきによる抵抗が発生し、シート１にブレーキがかかるため滑り現象が軽減された。これにより所望の位置で切断しても、シート１が不意に滑ってしまいずれてしまうことを防止することができ、切断のしづらさも解消することができる。
【００２８】
（実験例）
斤量４００ｇ／ｍ2のコートボールで形成された箱体２０に、市販品のクッキングシートを収納して、しごき突起３２となる山形の縁部の設置数を変えて実験を行った。なお、山形の頂部の角度は１４０度に設定した。さらに、収納したクッキングシートは、幅３０ｃｍ、長さ５ｍの旭化成ホームプロダクツ株式会社販売のクックパー（登録商標）を逆引き出し方向に収納して使用した。
【００２９】
評価方法は、クッキングシートを３０ｃｍずつ引き出し、切り取ったシートを台の上へ３０秒放置して、その丸まり具合を比較した。
【００３０】
表１に示すように、山の数が０の場合は、しごき突起がなくシートをしごくことができないので、すぐに丸まってしまった。山の数が１箇所の場合は、しごき突起がシートの巻癖がある逆面をしごくことができ、丸まることはなかった。山の数が２箇所及び３箇所の場合、しごき突起によりシートをしごくことができ、さらにシートを２〜３点支えで引き出すことによりスムーズに引き出すことができた。山の数を４箇所にした場合、シートの巻癖を解消することはできたが、シートの角部が浮き上がってしまうことがあった。
【００３１】
【表１】
2014091566.tif 000003
【符号の説明】
【００３２】
１：シート、２：シートロール、１０：シートロール包装体、２０：箱体、２２ａ：前面板、２２ｂ、２２ｃ：側面板、２２ｄ：背面板、２２ｅ：底面板、２６：蓋体、２６ａ：前縁板、２６ｂ、２６ｃ：側縁板、２６ｄ：天面板、２８：切断刃、３０：しごき部材、３２：しごき突起、３４：脚部、３６：後端縁、３８：補助片
【図１】
2014091566.tif 000004
【図２】
2014091566.tif 000005
【図３】
2014091566.tif 000006
【図４】
2014091566.tif 000007
【図５】
2014091566.tif 000008
【図６】
2014091566.tif 000009